(57)【要約】【課題】アナログメーター形式の表示で、複数の視点での状態把握がより直観的に、より瞬時にできるようにする。【解決手段】  表示部１０３は、第１値および第２値を表示する。表示部１０３には、表示部１０３の目盛中心１０６を中心とした円の円周上に配置された第１目盛１０７が表示されている。また、表示部１０３には、目盛中心１０６より同心円状に広がる方向に配置された第２目盛１０８が表示されている。第１表示制御部１０４は、目盛中心１０６を回転中心として回転して第１目盛１０７に対して第１値を指し示す第１目盛指示１０９を表示部１０３に表示する。第２表示制御部１０５は、第２目盛１０８に対して第２値を指し示す第２目盛指示１１０を表示部１０３に表示する。【選択図】  図１
2020186931.tif 000002
【特許請求の範囲】
【請求項１】
第１値を取得するように構成された第１値取得部と、
第２値を取得するように構成された第２値取得部と、
目盛中心を中心とした円の円周上に配置された第１目盛、および前記目盛中心より同心円状に広がる方向に配置された第２目盛とともに、前記第１値および前記第２値を表示するための表示部と、
前記目盛中心を回転中心として回転して前記第１目盛に対して前記第１値を指し示す第１目盛指示を前記表示部に表示するように構成された第１表示制御部と、
前記第２目盛に対して前記第２値を指し示す第２目盛指示を前記表示部に表示するように構成された第２表示制御部と
を備える表示装置。
【請求項２】
請求項１記載の表示装置において、
前記第２表示制御部は、前記第１目盛および前記第２目盛に対して前記第２値を指し示す前記第２目盛指示を前記表示部に表示する
ことを特徴とする表示装置。
【請求項３】
請求項１または２記載の表示装置において、
前記第１目盛指示は、指針であることを特徴とする表示装置。
【請求項４】
請求項１〜３のいずれか１項に記載の表示装置において、
前記第２目盛指示は、折れ線であることを特徴とする表示装置。
【請求項５】
表示対象の第１値を取得するように構成された第１ステップと、
表示対象の第２値を取得するように構成された第２ステップと、
表示部の目盛中心を中心とした円の円周上に配置された第１目盛に対して前記第１値を指し示す第１目盛指示を前記表示部に表示する第３ステップと、
前記目盛中心より同心円状に広がる方向に配置された第２目盛を用いて、前記第２値と連動する第２目盛指示を前記表示部に表示する第４ステップと、
前記目盛中心より同心円状に広がる方向に配置された第２目盛に対して前記第２値を指し示す第２目盛指示を前記表示部に表示する第５ステップと
を備える表示方法。
【請求項６】
請求項５記載の表示方法において、
前記第５ステップは、前記第１目盛および前記第２目盛に対して前記第２値を指し示す前記第２目盛指示を前記表示部に表示する
ことを特徴とする表示方法。
【請求項７】
請求項５または６記載の表示方法において、
前記第１目盛指示は、指針表示であることを特徴とする表示方法。
【請求項８】
請求項５〜７のいずれか１項に記載の表示方法において、
前記第２目盛指示は、折れ線であることを特徴とする表示方法。
【発明の詳細な説明】
【技術分野】
【０００１】
本発明は、アナログメーター形式で表示する表示装置および表示方法に関する。
【背景技術】
【０００２】
目盛を有する文字盤と針とで数値を表すアナログメーターは、速度計、距離計、高度計などの表示として、制御装置、交通機関、試験装置などさまざまな用途で利用されている（特許文献１参照）。また、液晶パネルや蛍光表示管によるデジタルメーターにおいても、自動車のスピードメーターなどで、機械式のアナログメーターを模したデジタル表示が多く使われている。目盛を有する文字盤と針とで数値を表すアナログメーターの表示は、数値そのものを表示するより直観的に、また瞬時に状態を把握する用途に向いている。
【先行技術文献】
【特許文献】
【０００３】
【特許文献１】特許第３３５１１７８号公報
【発明の概要】
【発明が解決しようとする課題】
【０００４】
しかしながら、アナログメーターは、ある特定の視点での状態を把握することには優れているが、複数の視点での状態を把握することができない。例えば、物事の状態を把握するために、現在の値だけでは不十分で、過去からの状態の変化を併せて情報として得たい場合に、従来のアナログメーターの表示では対応させることが難しい。また、パラメータが各々異なる複数の数値を同時に表示させることは、従来のアナログメーターの表示では対応させることが難しい。例えば、複数の視点での状態を同時に把握するためには、アナログメーターを複数並べて用いることが考えられる。しかしながら、アナログメーターを複数並べるためには、これらを配置するためのより広い領域が必要となり、瞬時の直観的な判断が難しくなる。
【０００５】
本発明は、以上のような問題点を解消するためになされたものであり、アナログメーター形式の表示で、複数の視点での状態把握がより直観的に、より瞬時にできるようにすることを目的とする。
【課題を解決するための手段】
【０００６】
本発明に係る表示装置は、第１値を取得するように構成された第１値取得部と、第２値を取得するように構成された第２値取得部と、目盛中心を中心とした円の円周上に配置された第１目盛、および目盛中心より同心円状に広がる方向に配置された第２目盛とともに、第１値および第２値を表示するための表示部と、目盛中心を回転中心として回転して第１目盛に対して第１値を指し示す第１目盛指示を表示部に表示するように構成された第１表示制御部と、第２目盛に対して第２値を指し示す第２目盛指示を表示部に表示するように構成された第２表示制御部とを備える。
【０００７】
上記表示装置の一構成例において、第２表示制御部は、第１目盛および第２目盛に対して第２値を指し示す第２目盛指示を表示部に表示する。
【０００８】
上記表示装置の一構成例において、第１目盛指示は、指針である。
【０００９】
上記表示装置の一構成例において、第２目盛指示は、折れ線である。
【００１０】
本発明に係る表示方法は、表示対象の第１値を取得するように構成された第１ステップと、表示対象の第２値を取得するように構成された第２ステップと、表示部の目盛中心を中心とした円の円周上に配置された第１目盛に対して第１値を指し示す第１目盛指示を表示部に表示する第３ステップと、目盛中心より同心円状に広がる方向に配置された第２目盛を用いて、第２値と連動する第２目盛指示を表示部に表示する第４ステップと、目盛中心より同心円状に広がる方向に配置された第２目盛に対して第２値を指し示す第２目盛指示を表示部に表示する第５ステップとを備える。
【００１１】
上記表示方法の一構成例において、第５ステップは、第１目盛および第２目盛に対して第２値を指し示す第２目盛指示を表示部に表示する。
【００１２】
上記表示方法の一構成例において、第１目盛指示は、指針表示である。
【００１３】
上記表示方法の一構成例において、第２目盛指示は、折れ線である。
【発明の効果】
【００１４】
以上説明したように、本発明によれば、目盛中心を中心とした円の円周上に配置された第１目盛、および目盛中心より同心円状に広がる方向に配置された第２目盛を用いるようにしたので、アナログメーター形式の表示で、複数の視点での状態把握がより直観的に、より瞬時にできる。
【図面の簡単な説明】
【００１５】
【図１】図１は、本発明の実施の形態に係る表示装置の構成を示す構成図である。
【図２】図２は、本発明の実施の形態に係る表示方法を説明するためのフローチャートである。
【図３】図３は、本発明の実施の形態に係る他の表示装置の一部構成を示す構成図である。
【図４】図４は、本発明の実施の形態に係る他の表示装置の一部構成を示す構成図である。
【図５】図５は、本発明に係る表示装置のハードウエア構成を示す構成図である。
【発明を実施するための形態】
【００１６】
以下、本発明の実施の形態に係る表示装置について図１を参照して説明する。この表示装置は、第１値取得部１０１、第２値取得部１０２、表示部１０３、第１表示制御部１０４、第２表示制御部１０５を備える。
【００１７】
第１値取得部１０１は、表示対象の第１値を取得する。第１値取得部１０１は、記憶部１２１に記憶されている制御値、測定値、および統計処理などをした算出値などの情報を元に、表示対象の第１値を取得する。第２値取得部１０２は、表示対象の第２値を取得する。第２値取得部１０２は、記憶部１２１に記憶されている制御値、測定値、および算出値ななどの情報を元に、表示対象の第２値を取得する。
【００１８】
表示部１０３は、第１値および第２値を表示する。表示部１０３には、表示部１０３の目盛中心１０６を中心とした円の円周上に配置された第１目盛１０７が表示されている。また、表示部１０３には、目盛中心１０６より同心円状に広がる方向に配置された第２目盛１０８が表示されている。
【００１９】
第１表示制御部１０４は、目盛中心１０６を回転中心として回転して第１目盛１０７に対して第１値を指し示す第１目盛指示１０９を表示部１０３に表示する。第１目盛指示１０９は、例えば、目盛中心１０６から延びる指針である。第２表示制御部１０５は、第２目盛１０８に対して第２値を指し示す第２目盛指示１１０を表示部１０３に表示する。また、第２表示制御部１０５は、第１目盛１０７および第２目盛１０８に対して第２値を指し示す第２目盛指示１１０を表示部１０３に表示する。第２目盛指示１１０は、複数の点を結んだ折れ線である。
【００２０】
例えば、第１目盛１０７の単位は、測定値の単位であり、第２目盛１０８の単位は、時間であり、第１目盛１０７を用いた第１目盛指示１０９は、現在の測定値を示し、第１目盛１０７および第２目盛１０８を用いた第２目盛指示１１０は、過去の測定値を示すことができる。この例では、現在値と併せて過去の値の推移が同時に確認可能となり、計測対象の状態をより詳細に瞬時に把握できるようになる。例えば、測定値が、いつから変化し始めたのか、変化の程度や拡大傾向なのか縮小傾向なのかといった傾向などが、より詳細に瞬時に把握できるようになる。
【００２１】
また、第１目盛１０７を用いた第１目盛指示１０９は、中長期の算出値を示し、第１目盛１０７および第２目盛１０８を用いた第２目盛指示１１０は、算出値の変化の様子（短期の算出値）過去の測定値を示すことができる。中長期の算出値が示されるだけでは、短期的に発生している変化が確認できないが、上述したことにより、短期的に発生していることも瞬時に把握できるようになる。
【００２２】
次に、本発明の実施の形態に係る表示方法について、図２を参照して説明する。まず、第１ステップＳ１０１で、第１値取得部１０１が、表示対象の第１値を取得する。次に、第２ステップＳ１０２で、第２値取得部１０２が、表示対象の第２値を取得する。
【００２３】
次に、第３ステップＳ１０３で、第１表示制御部１０４が、表示部１０３の目盛中心１０６を中心とした円状に配置された第１目盛１０７を用いて、第１値と連動して目盛中心１０６を回転軸として回転する第１目盛指示１０９を表示部１０３に表示する。また、第４ステップＳ１０４で、第２表示制御部１０５が、目盛中心１０６より同心円状に広がる方向に配置された第２目盛１０８を用いて、第２値と連動する第２目盛指示１１０を表示部１０３に表示する。また、第４ステップＳ１０４では、第１目盛１０７および第２目盛１０８を用いて、第２値と連動する第２目盛指示１１０を表示部１０３に表示することもできる。
【００２４】
なお、図３に示すように、目盛中心１０６から延びる針状の部分を備えない矢の先端部の形状による指針による第１目盛指示１０９ａにより、第１目盛１０７を用いた第１値を示す構成とすることもできる。この場合、矢の先端部の形状とした第１目盛指示１０９ａと、複数の点を結んだ折れ線による第２目盛指示１１０とを、一体とした１つの目盛指示として表示することもできる。また、図４に示すように、指針による第２目盛指示１１０ａ、第２目盛指示１１０ｂで、第２目盛１０８を用いた第２値を示す構成とすることもできる。
【００２５】
なお、上述した実施の形態における表示装置の第１値取得部１０１、第２値取得部１０２、第１表示制御部１０４、第２表示制御部１０５は、図５に示すように、ＣＰＵ（Central Processing Unit；中央演算処理装置）３０１と主記憶装置３０２と外部記憶装置３０３とネットワーク接続装置３０４となどを備えたコンピュータ機器とし、主記憶装置に展開されたプログラムによりＣＰＵ３０１が動作する（プログラムを実行する）ことで、上述した各機能（表示方法）が実現されるようにすることもできる。上記プログラムは、上述した実施の形態で示した表示方法をコンピュータが実行するためのプログラムである。ネットワーク接続装置３０４は、ネットワーク３０５に接続する。例えば、外部記憶装置３０３に記憶される制御値や測定値は、ネットワーク３０５を介して接続されている各種のコントローラや計測機器から収集される。また、各機能は、複数のコンピュータ機器に分散させることもできる。
【００２６】
また、上述した実施の形態における表示装置の第１値取得部１０１、第２値取得部１０２、第１表示制御部１０４、第２表示制御部１０５は、ＦＰＧＡ（field-programmable gate array）などのプログラマブルロジックデバイス（ＰＬＤ：Programmable Logic Device）により構成することも可能である。例えば、ＦＰＧＡのロジックエレメントに、記憶部、第１値取得部１０１、第２値取得部１０２、第１表示制御部１０４、第２表示制御部１０５の各々を回路として備えることで、表示装置として機能させることができる。記憶回路、第１値取得回路、第２値取得回路、第１表示制御回路、第２表示制御回路の各々は、所定の書き込み装置を接続してＦＰＧＡに書き込むことができる。また、ＦＰＧＡに書き込まれた上記の各回路は、ＦＰＧＡに接続した書き込み装置により確認することができる。
【００２７】
以上に説明したように、本発明によれば、目盛中心を中心とした円の円周上に配置された第１目盛、および目盛中心より同心円状に広がる方向に配置された第２目盛を用いるようにしたので、アナログメーター形式の表示で、複数の視点での状態把握がより直観的に、より瞬時にできるようになる。本発明によれば、従来よりも多くの情報（複数の視点での情報）を、従来と変わらない領域内に表示できる。また、本発明によれば、提示できる情報が増えることで、計測対象の状態をより詳細に把握することが可能になる。
【００２８】
なお、本発明は以上に説明した実施の形態に限定されるものではなく、本発明の技術的思想内で、当分野において通常の知識を有する者により、多くの変形および組み合わせが実施可能であることは明白である。
【符号の説明】
【００２９】
１０１…第１値取得部、１０２…第２値取得部、１０３…表示部、１０４…第１表示制御部、１０５…第２表示制御部、１０６…目盛中心、１０７…第１目盛、１０８…第２目盛、１０９…第１目盛指示、１１０…第２目盛指示、１２１…記憶部。
【図１】
2020186931.tif 000003
【図２】
2020186931.tif 000004
【図３】
2020186931.tif 000005
【図４】
2020186931.tif 000006
【図５】
2020186931.tif 000007